【手続補正書】
【提出日】平成18年7月3日(2006.7.3)
【手続補正１】
【補正対象書類名】明細書
【補正対象項目名】発明の名称
【補正方法】変更
【補正の内容】
【発明の名称】ＩＰ通信網
【手続補正２】
【補正対象書類名】特許請求の範囲
【補正対象項目名】全文
【補正方法】変更
【補正の内容】
【特許請求の範囲】
【請求項１】
送信側の端末が接続された発信側の論理端子を２以上含み、受信側の端末が接続された着信側の論理端子を２以上含み、前記送信側の端末から送信されたＩＣＳユーザフレーム内の少なくとも宛先アドレスと、前記ＩＣＳユーザフレームを受信した発信側の論理端子を基に、前記ＩＣＳユーザフレームの送信先である受信側の端末が接続されている前記着信側の論理端子を決定し、着信側の論理端子情報を含むＩＣＳネットワークフレームを形成して前記決定した前記着信側論理端子に送信し、前記ＩＣＳネットワークフレームから前記ＩＣＳユーザフレームを復元して前記決定した前記着信側論理端子から前記受信側端末に送信することを特徴とするＩＰ通信網。
【請求項２】
アクセス制御装置を２以上含み、発信側のアクセス制御装置は端末が接続された発信側の論理端子を２以上含み、着信側のアクセス制御装置は端末が接続された着信側の論理端子を２以上含み、送信側の端末から送信されたＩＣＳユーザフレーム内の少なくとも宛先アドレスと、前記発信側のアクセス制御装置の前記送信側の端末が接続された前記発信側の論理端子を基に前記発信側のアクセス制御装置が着信側論理端子識別情報を決定し、前記着信側論理端子識別情報を含むＩＣＳネットワークフレームを形成して前記着信側のアクセス制御装置に送信し、前記着信側のアクセス制御装置は、受信した前記ＩＣＳネットワークフレームに含まれる前記着信側論理端子識別情報を基に着信側論理端子を決定し、前記ＩＣＳユーザフレームを復元して前記決定した前記着信側論理端子から受信側端末に送信することを特徴とするＩＰ通信網。
【請求項３】
アクセス制御装置を２以上含み、発信側のアクセス制御装置は端末が接続された発信側の論理端子を２以上含み、着信側のアクセス制御装置は端末が接続された着信側の論理端子を２以上含み、前記アクセス制御装置は変換表を含み、送信側の端末から送信されたＩＣＳユーザフレーム内の少なくとも宛先アドレスと、前記発信側のアクセス制御装置の前記送信側の端末が接続された前記発信側の論理端子を基に、前記発信側のアクセス制御装置が前記変換表を用いて着信側論理端子識別情報を決定し、前記着信側論理端子識別情報を含むＩＣＳネットワークフレームを形成して前記着信側のアクセス制御装置に送信し、前記着信側のアクセス制御装置は、受信した前記ＩＣＳネットワークフレームに含まれる前記着信側論理端子識別情報を基に着信側論理端子を決定し、前記ＩＣＳユーザフレームを復元して前記決定した前記着信側論理端子から受信側端末に送信することを特徴とするＩＰ通信網。
【請求項４】
課金サーバを含み、前記課金サーバは課金条件を含み、前記課金サーバが前記端末間の通信及び前記課金条件を基に課金動作を行う請求項１乃至３のいずれかに記載のＩＰ通信網。
【請求項５】
前記課金条件が従量課金である請求項４に記載のＩＰ通信網。
【請求項６】
前記課金条件が定額課金である請求項４に記載のＩＰ通信網。
【請求項７】
変換表サーバを含み、前記変換表サーバは前記変換表のレコードを書き換える請求項３に記載のＩＰ通信網。
【請求項８】
ドメイン名サーバを含み、前記送信側の端末から送信されたＩＣＳユーザフレームに含まれるドメイン名を基に受信側端末のＩＰアドレスを特定して前記送信側の端末に返信する請求項１乃至３のいずれかに記載のＩＰ通信網。
【請求項９】
前記送信側の端末及び受信側端末が電話機であり、前記受信側端末のドメイン名が電話番号であり、前記ドメイン名サーバが電話番号を基に端末のＩＰアドレスを特定する機能を有する請求項８に記載の端末間のＩＰ通信網。
【請求項１０】
ＩＣＳアドレス管理サーバ及び少なくとも課金サーバを含む他のサーバを含み、前記ＩＣＳアドレス管理サーバは前記他のサーバに付与されたＩＣＳネットワークアドレスを記録する請求項１乃至３のいずれかに記載のＩＰ通信網。
【請求項１１】
認証サーバを含み、前記認証サーバは前記送信側の端末の認証を行う請求項１乃至３のいずれかに記載のＩＰ通信網。
【請求項１２】
電子署名の機能を含み、前記ＩＣＳネットワークフレームを形成するとき前記ＩＣＳネットワークフレーム内部のＩＣＳユーザフレームに電子署名を行う請求項１乃至３のいずれかに記載のＩＰ通信網。
【請求項１３】
電子署名の機能を含み、前記ＩＣＳネットワークフレームからＩＣＳユーザフレームを復元するとき、前記復元したユーザフレームに電子署名を行う請求項１乃至３のいずれかに記載のＩＰ通信網。
【請求項１４】
暗号化の機能を含み、前記ＩＣＳネットワークフレーム内部のＩＣＳユーザフレームを暗号化する請求項１乃至３のいずれかに記載のＩＰ通信網。  
【請求項１５】
ＩＰ転送網は複数のアクセス制御装置及び複数のサーバを含み、前記アクセス制御装置は複数レコードからなる変換表を含み、前記アクセス制御装置及び前記サーバは内部通信回線により接続されており、端末はユーザ通信回線、ユーザ通信回線終端の論理端子を経てアクセス制御装置に接続され、送信側の端末が送信したＩＣＳユーザフレームがユーザ通信回線、論理端子を経て発信側のアクセス制御装置に入力し、前記論理端子を識別するための論理端子識別情報及び前記ＩＣＳユーザフレーム内の少なくとも受信ユーザアドレスが前記発信側アクセス制御装置内の変換表の１つのレコードとして登録されているとき、前記１つのレコードは着信側論理端子識別情報を含んでおり、前記ＩＣＳユーザフレーム及び前記着信側論理端子識別情報を含むＩＣＳネットワークフレームが形成され、
前記発信側アクセス制御装置から送出された前記ＩＣＳネットワークフレームは前記着信側論理端子識別情報が参照されて前記ＩＰ転送網内部を転送され、前記着信側のアクセス制御装置に到達し、前記着信側アクセス制御装置内の変換表の他の１つのレコードが参照されて前記ＩＣＳネットワークフレームから前記ＩＣＳユーザフレームが復元され、復元された前記ＩＣＳユーザフレームは前記着信側アクセス制御装置の論理端子、ユーザ通信回線を経て受信側の端末に到達し、各サーバはＩＣＳネットワークフレームを送受して通信し、端末１がＩＣＳユーザフレーム１を送信するとアクセス制御装置１内のレコード１の管理の基にＩＣＳネットワークフレーム１が形成されてサーバ１に到達し、サーバ１がＩＣＳネットワークフレーム１を形成して送信すると、前記アクセス制御装置１内のレコード１の管理の基にＩＣＳユーザフレーム１が復元されて前記端末１に到達し、
前記ＩＰ転送網は更に１以上のユーザサービスサーバ、１以上の当局サーバ、１以上のドメイン名サーバ、１以上の変換表サーバを含み、
前記ＩＰ転送網の利用申込者が受付者に前記ＩＰ転送網への加入を申込み、前記受付者はユーザサービスサーバを用いて加入手続きを行って受付情報を当局サーバに送り、前記当局サーバはＩＣＳユーザアドレス、ＩＣＳネームを含む利用申込情報を形成し、前記利用申込情報を変換表サーバ及びドメイン名サーバに提供し、前記変換表サーバはアクセス制御装置の変換表内に前記取得したＩＣＳユーザアドレスを含む新しいレコードを追加し、前記ドメイン名サーバは前記利用申込情報を保持するようになっていることを特徴とするＩＰ転送網を用いたＩＰ通信網。
【請求項１６】
ＩＰ転送網は複数のアクセス制御装置及び複数のサーバを含み、前記アクセス制御装置は複数レコードから成る変換表を含み、前記アクセス制御装置及び前記サーバは内部通信回線により接続されており、端末はユーザ通信回線、ユーザ通信回線終端の論理端子を経てアクセス制御装置に接続され、送信側の端末が送信したＩＣＳユーザフレームがユーザ通信回線、論理端子を経て発信側のアクセス制御装置に入力し、前記論理端子を識別するために付与するネットワークアドレス、前記ＩＣＳユーザフレーム内の送信ユーザアドレス及び受信ユーザアドレスが前記発信側アクセス制御装置内の前記変換表の１つのレコードとして登録されているとき、前記１つのレコードは着信ネットワークアドレスを含んでおり、ＩＣＳネットワークフレームが形成され、
前記ＩＣＳネットワークフレームは制御部及びデータ部で成り、前記データ部は前記ＩＣＳユーザフレームを含み、前記制御部内のソースＩＰアドレスは前記論理端子を識別するネットワークアドレスであり、前記制御部内の宛先ＩＰアドレスは前記１つのレコードに登録されている着信ネットワークアドレスであり、
前記アクセス制御装置から送出された前記ＩＣＳネットワークフレームは前記ＩＰ転送網内部を転送されて着信側のアクセス制御装置に到達し、前記着信側アクセス制御装置内の変換表の１つのレコードが参照されて前記ＩＣＳネットワークフレームから前記ＩＣＳユーザフレームが復元され、復元された前記ＩＣＳユーザフレームは前記着信側アクセス制御装置の論理端子、ユーザ通信回線を経て受信側の端末に到達し、
各サーバはＩＣＳネットワークフレームを送受して通信し、端末１がＩＣＳユーザフレーム１を送信するとアクセス制御装置１内のレコード１の管理の基にＩＣＳネットワークフレーム１が形成されてサーバ１に到達し、サーバ１がＩＣＳネットワークフレーム１を形成して送信すると、前記アクセス制御装置１内のレコード１の管理の基にＩＣＳユーザフレーム１が復元されて前記端末１に到達し、
前記ＩＰ転送網は更に１以上のユーザサービスサーバ、１以上の当局サーバ、１以上のドメイン名サーバ、１以上の変換表サーバを含み、
前記ＩＰ転送網の利用申込者が受付者に前記ＩＰ転送網への加入を申込み、前記受付者はユーザサービスサーバを用いて加入手続きを行って受付情報を当局サーバに送り、前記当局サーバはＩＣＳユーザアドレス、ＩＣＳネットワークアドレス、ＩＣＳネームを含む利用申込情報を形成し、前記利用申込情報を変換表サーバ及びドメイン名サーバに提供し、前記変換表サーバはアクセス制御装置の変換表内に前記取得したＩＣＳユーザアドレス、ＩＣＳネットワークアドレスを含む新しいレコードを追加し、前記ドメイン名サーバは前記利用申込情報を保持するようになっていることを特徴とするＩＰ転送網を用いたＩＰ通信網。
【請求項１７】
ＩＰ転送網は複数のアクセス制御装置及び複数のサーバを含み、前記アクセス制御装置は複数レコードから成る変換表を含み、前記アクセス制御装置及び前記サーバは内部通信回線により接続されており、端末はユーザ通信回線、ユーザ通信回線終端の論理端子を経てアクセス制御装置に接続され、送信側の端末が送信したＩＣＳユーザフレームがユーザ通信回線、論理端子を経て発信側のアクセス制御装置に入力し、前記論理端子を識別するための論理端子識別情報及び前記ＩＣＳユーザフレーム内の送信ユーザアドレス及び受信ユーザアドレスが前記発信側アクセス制御装置内の前記変換表の１つのレコードとして登録されているとき、前記前記ＩＣＳユーザフレームをそのままＩＣＳネットワークフレームとして前記アクセス制御装置から送出し、
前記アクセス制御装置から送出された前記ＩＣＳネットワークフレームは前記ＩＰ転送網内を転送されて着信側のアクセス制御装置に到達し、前記着信側アクセス制御装置内の変換表の１つのレコードが参照されて前記ＩＣＳネットワークフレームを前記ＩＣＳユーザフレームとし、前記ＩＣＳユーザフレームは前記着信側アクセス制御装置の論理端子、ユーザ通信回線を経て受信側の端末に到達し、
端末１及びサーバ１は、少なくとも前記端末のＩＣＳユーザアドレスが登録されているアクセス制御装置１内のレコード１の管理の基に、前記アクセス制御装置１を通過してＩＣＳユーザフレームを送受可能であり、
前記ＩＰ転送網は更に１以上のユーザサービスサーバ、１以上の当局サーバ、１以上のドメイン名サーバ、１以上の変換表サーバを含み、
前記ＩＰ転送網の利用申込者が受付者に前記ＩＰ転送網への加入を申込み、前記受付者はユーザサービスサーバを用いて加入手続きを行って受付情報を当局サーバに送り、前記当局サーバはＩＣＳユーザアドレス、ＩＣＳネームを含む利用申込情報を形成し、前記利用申込情報をサーバ及びドメイン名サーバに提供し、前記変換表サーバはアクセス制御装置の変換表内に前記取得したＩＣＳユーザアドレスを含む新しいレコードを追加し、前記ドメイン名サーバは前記利用申込情報を保持するようになっていることを特徴とするＩＰ転送網を用いたＩＰ通信網。
【請求項１８】
前記ＩＰ転送網は更に統括変換表サーバを含み、前記ＩＰ転送網の運用者は、前記統括変換表サーバを経て個別のアクセス制御装置の変換表サーバに指示して当該アクセス制御装置内の変換表のレコードを更新できるようになっている請求項１５，１６又は１７に記載のＩＰ転送網を用いたＩＰ通信網。
【請求項１９】
前記ＩＰ転送網は更に統括変換表サーバ及び統括当局サーバを含み、前記ＩＰ転送網の運用者は、前記統括当局サーバに前記ＩＰ転送網の少なくとも運用開始を指示して報告を受けることが可能であり、当局サーバは前記総括当局サーバ及び前記総括変換表サーバを経由して他の変換表サーバと、或いは前記総括当局サーバ及び前記総括変換表サーバを経由せずに直接に他の変換表サーバに対して変換表のレコード内容を問合わせることが可能である請求項１５，１６又は１７に記載のＩＰ転送網を用いたＩＰ通信網
【請求項２０】
前記ＩＰ転送網は更に統括ユーザサービスサーバを含み、前記ＩＰ転送網の運用者は、前記統括ユーザサービスサーバに少なくとも前記ＩＰ転送網の少なくとも運用開始を指示して個別の報告を受けることが可能である請求項１５，１６又は１７に記載のＩＰ転送網を用いたＩＰ通信網。
【請求項２１】
前記ＩＰ転送網は更にユーザサービスサーバ及び統括ドメイン名サーバを含み、前記ユーザサービスサーバは利用申込者から通信相手となる端末２のＩＣＳネーム２を受付け、前記ＩＣＳネーム２を前記利用申込者の端末１が接続するアクセス制御装置１内の変換表サーバ１に通知し、前記変換表サーバ１は前記統括ドメイン名サーバに依頼して、少なくとも前記端末２へ通信するため少なくともＩＣＳユーザアドレス取得し、前記取得した端末２へ通信するため少なくともＩＣＳユーザアドレスを用いて、端末１と端末２とが通信するためのレコードを前記アクセス制御装置１の変換表１内に作成するようになっている請求項１５又は１７に記載のＩＰ転送網を用いたＩＰ通信網。
【請求項２２】
前記ＩＰ転送網は更にユーザサービスサーバ及び統括ドメイン名サーバを含み、前記ユーザサービスサーバは利用申込者から通信相手となる端末２のＩＣＳネーム２を受付け、前記ＩＣＳネーム２を前記利用申込者の端末１が接続するアクセス制御装置１内の変換表サーバ１に通知し、前記変換表サーバ１は前記統括ドメイン名サーバに依頼して、少なくとも前記端末２へ通信するためのＩＣＳユーザアドレス及びＩＣＳネットワークアドレスを取得し、前記取得した端末２へ通信するためのＩＣＳユーザアドレス及びＩＣＳネットワークアドレスを用いて、端末１と端末２とが通信するためのレコードを前記アクセス制御装置１の変換表１内に作成するようになっている請求項１６に記載のＩＰ転送網を用いたＩＰ通信網。
【請求項２３】
アクセス制御装置１に接続する端末１は、前記端末１のドメイン名１を添付して、前記アクセス制御装置１用の変換表サーバ１に、前記アクセス制御装置１内の変換表の前記端末１に関するレコードの登録内容の変更要求１を送信し、前記変換表サーバ１はドメイン名サーバに問合わせて前記端末１のＩＣＳユーザアドレスを含む登録内容を取得し、前記変換表サーバ１は前記変換表１内の端末１に関するレコード内容を変更し、前記端末１に報告することが可能である請求項１５又は１６に記載のＩＰ転送網を用いたＩＰ通信網。
【請求項２４】
前記ＩＰ転送網は更に統括変換表サーバ及び課金サーバを含み、前記統括変換表サーバは各アクセス制御装置の変換表サーバに指示して、各アクセス制御装置の変換表のレコードに課金クラスを書き込んでおり、各アクセス制御装置は変換表のレコードを参照してＩＣＳネットワークフレームを形成するとき、前記レコードに書かれている課金クラスに従い、前記レコードに記載の課金クラスの指定に従って課金フレームを形成し、前記課金フレームが前記課金サーバに送信されて前記ＩＣＳユーザフレームに対する通信料金を課金するようになっている請求項１５又は１６に記載のＩＰ転送網を用いたＩＰ通信網。
【請求項２５】
前記ＩＰ転送網は更に統括変換表サーバを含み、前記統括変換表サーバは各アクセス制御装置の変換表サーバに指示して、各アクセス制御装置の変換表のレコードに優先度を書き込んでおり、各アクセス制御装置はレコードを参照してＩＣＳネットワークフレームを形成するとき、前記レコードに書かれている優先度の値を前記ＩＣＳネットワークフレームに書き込み、複数のＩＣＳネットワークフレームが前記内部通信回線を転送されてほぼ同時に中継装置に入力すると、前記中継装置は高い優先度が書き込まれているＩＣＳネットワークフレームを先に送出するようになっている請求項１５又は１６に記載のＩＰ転送網を用いたＩＰ通信網。
【請求項２６】
前記ＩＰ転送網は更に統括変換表サーバを含み、前記ＩＰ転送網内部の内部通信回線はＩＣＳネットワークフレームの転送速度を表す速度クラスを付与されており、前記統括変換表サーバは各アクセス制御装置の変換表サーバに指示して、各アクセス制御装置の変換表のレコードに速度クラスを書き込んでおり、各アクセス制御装置はレコードを参照してＩＣＳネットワークフレームを形成するとき、前記レコードに書かれている優先度の値を前記形成するＩＣＳネットワークフレームに書き込み、前記速度クラスが書き込まれたＩＣＳネットワークフレームが転送されるとき、前記ＩＣＳネットワークフレームは前記速度クラスが付与された内部通信回線を転送されるようになっている請求項１５又は１６に記載のＩＰ転送網を用いたＩＰ通信網。
【請求項２７】
前記ＩＰ転送網は更に統括変換表サーバを含み、前記統括変換表サーバは各アクセス制御装置の変換表サーバに指示して、各アクセス制御装置の変換表のレコードに送信時署名を書き込んでおり、各アクセス制御装置は、前記レコードに送信時署名を付与することが指定されていると、前記ＩＣＳユーザフレームに送信時署名を付与した後にＩＣＳネットワークフレームを形成するようになっている請求項１又は２に記載のＩＰ転送網を用いたＩＰ通信網。
【請求項２８】
前記ＩＰ転送網は更に統括変換表サーバを含み、前記統括変換表サーバは各アクセス制御装置の変換表サーバに指示して、各アクセス制御装置の変換表のレコードに着信時署名を書き込んでおり、各アクセス制御装置は、前記レコードに着信時署名を付与することが指定されていると、前記ＩＣＳネットワークフレームからＩＣＳユーザフレームを復元した後に、前記復元したＩＣＳユーザフレームに着信時署名を付与するようになっている請求項１５又は１６に記載のＩＰ転送網を用いたＩＰ通信網。
【請求項２９】
前記ＩＰ転送網は更に統括変換表サーバを含み、前記統括変換表サーバは各アクセス制御装置の変換表サーバに指示して、各アクセス制御装置の変換表のレコードに暗号化を行うか否かを指定する暗号クラスを書き込んでおり、変換表のレコードに暗号化を行うことが指定されていると、ＩＣＳユーザフレームを暗号化した後に前記暗号化されたＩＣＳユーザフレームを含むＩＣＳネットワークフレームを形成するようになっている請求項１５又は１６に記載のＩＰ転送網を用いたＩＰ通信網。
【請求項３０】
複数のアクセス制御装置及び複数のサーバを含み、前記アクセス制御装置及び前記サーバは内部通信回線により接続されており、前記複数のサーバはドメイン名サーバ、変換表サーバを含み、ＩＣＳフレームを送受する通信が可能であり、前記アクセス制御装置は複数レコードからなる変換表を含み、複数の端末はユーザ通信回線、ユーザ通信回線終端の論理端子を経て前記アクセス制御装置のいずれかに接続されており、
送信側の端末１が送信したＩＣＳユーザフレーム１がユーザ通信回線１、論理端子１を経て発信側のアクセス制御装置１に入力すると、前記論理端子１を識別するための論理端子識別情報１及び前記ＩＣＳユーザフレーム１内の少なくとも受信ユーザアドレスが前記アクセス制御装置１内の変換表のレコード１として登録され、更に前記レコード１が着信側論理端子識別情報を含んでいると、前記ＩＣＳユーザフレーム１及び前記着信側論理端子識別情報を含むＩＣＳネットワークフレーム１が形成され、前記発信側アクセス制御装置１から送出された前記ＩＣＳネットワークフレーム１は転送されて着信側のアクセス制御装置２に到達し、前記ＩＣＳネットワークフレーム１内の前記着信側論理端子識別情報を基に着信側論理端子２が決定され、前記ＩＣＳネットワークフレーム１から前記ＩＣＳユーザフレーム１が復元され、復元された前記ＩＣＳユーザフレーム１は、前記着信側論理端子２及びユーザ通信回線２を経て受信側の端末２に到達可能であり、
端末３がサーバ３に向けてＩＣＳユーザフレーム３を送信するとアクセス制御装置３内のレコード３内の前記サーバ３のアドレスが参照され、ＩＣＳネットワークフレーム３が形成されて前記サーバ３に到達し、前記サーバ３がＩＣＳネットワークフレーム４を形成して送信すると、前記アクセス制御装置１においてＩＣＳユーザフレーム４が復元されて前記端末３に到達可能であり、
前記変換表サーバは、前記変換表のレコードを含むＩＣＳフレームを用いて前記アクセス制御装置と通信を行うことにより、前記アクセス制御装置内の変換表のレコードの更新が可能であることを特徴とするＩＰ通信網。
【請求項３１】
前記ＩＰ転送網は更に１以上のユーザサービスサーバ、１以上の当局サーバを含み、前記ユーザサービスサーバは少なくとも複数ユーザの利用申込み情報を保持し、前記当局サーバは少なくともユーザが用いるドメイン名やアドレスを保持し、前記ＩＰ転送網の運用者は少なくとも前記ユーザサービスサーバ、前記変換表サーバを用いて前記ＩＰ転送網の運用を行うようになっている請求項３０に記載のＩＰ転送網。
【請求項３２】
前記アクセス制御装置３は、前記変換表内の前記レコード３内に前記端末３のＩＣＳユーザアドレスが含まれていないことを確認すると、前記ＩＣＳユーザフレーム３を廃棄し、前記ＩＣＳネットワークフレーム３を前記サーバ３に送信せず、前記変換表内のレコードに未登録の端末から前記サーバ３への通信を不可能にする請求項３１又は３２に記載のＩＰ転送網。
【請求項３３】
複数のアクセス制御装置及び複数のサーバを含み、前記アクセス制御装置及び前記複数のサーバは内部通信回線により接続されており、前記複数のサーバはドメイン名サーバ、変換表サーバを含み、ＩＣＳフレームを送受する通信が可能であり、
前記アクセス制御装置は複数レコードから成る変換表を含み、複数の端末はユーザ通信回線、ユーザ通信回線終端の論理端子を経て前記アクセス制御装置のいずれかに接続されており、端末１と端末２は、端末１−通信回線１−アクセス制御装置１−前記ＩＰ転送網内部−アクセス制御装置２−通信回線２−端末２を経由してＩＣＳユーザフレームを送受する通信が可能であり、前記アクセス制御装置１−前記ＩＰ転送網内部−アクセス制御装置２間の通信において、前記ＩＣＳユーザフレームはＩＣＳネットワークフレームとなって転送され、ＩＣＳユーザフレームからＩＣＳネットワークフレームへの変換に少なくとも前記変換表内のレコードが用いられ、
端末３が、宛先端末のドメイン名を含むＩＣＳユーザフレーム３を前記ドメイン名サーバに向けて送信すると、アクセス制御装置３内の変換表のレコード３内に端末３のアドレスが含まれていると、ＩＣＳネットワークフレームを形成して前記ドメイン名サーバに送信し、前記ドメイン名サーバは、前記宛先端末のドメイン名を基に宛先端末のアドレスを決定して前記端末３に返信するようになっており、
前記変換表サーバは、前記アクセス制御装置と前記レコードを含むＩＣＳフレームを用いて通信を行うことにより前記アクセス内の変換表の書換えを行うようになっていることを特徴とするＩＰ通信網。